(57)【要約】【課題】フィルターボックス内部に配置された機器の状況確認を、短時間で容易に実行可能な磁気共鳴イメージング装置を実現する。【解決手段】フィルターボックス７はＭＲＩ装置のシールドルーム壁面に設けられ、その内部にはラインフィルター、信号・電力系の各制御要素等の機器が収納されている。フィルターボックスカバー７ａはラインフィルター等を囲う形で取り付けられている。フィルターボックスカバー７ａ内に配置された機器はそれぞれ自己診断機能を有しフィルターボックスカバー７ａは、その内部に配置された機器からの自己診断情報を表示する表示部７ｂと、この表示部７ｂの表示操作を行う表示操作部７ｃとが配置されている。表示操作部７ｃを操作することにより表示部７ｂに表示させる内部機器を指定することができる。【選択図】図２
2008067926.tif 000002
【特許請求の範囲】
【請求項１】
静磁場発生手段と、傾斜磁場発生手段と、高周波送受信手段と、この高周波送受信手段が受信した核磁気共鳴信号に基づいて再構成した画像を再構成し表示する信号処理表示手段と、上記静磁場発生手段、傾斜磁場発生手段、高周波送受信手段、及び信号処理表示手段の動作を制御する制御手段とを有し、上記静磁場発生手段と、傾斜磁場発生手段と、高周波送受信手段とがシールドルーム内に配置された磁気共鳴イメージング装置において、
上記シールドルーム内に配置された上記傾斜磁場発生手段及び高周波送受信手段の電源手段と、上記傾斜磁場発生手段及び高周波送受信手段と制御手段との間に配置されるラインフィルターとを少なくとも有する複数の内部機器が配置されたフィルターボックスと、
上記フィルターボックス表面に形成され、上記内部機器の動作状態を表示する表示部を有するフィルターボックスカバーと、
を備えることを特徴とする磁気共鳴イメージング装置。
【請求項２】
請求項１記載の磁気共鳴イメージング装置において、上記フィルターボックスカバーには、上記複数の内部機器のうち、上記表示部にその動作状態を表示する内部機器を選択する操作部が形成されていることを特徴とする磁気共鳴イメージング装置。
【請求項３】
請求項１又は２記載の磁気共鳴イメージング装置において、上記表示部は、上記フィルターボックスカバーのシールドルーム内側の面に形成されていることを特徴とする磁気共鳴イメージング装置。
【請求項４】
請求項１又は２記載の磁気共鳴イメージング装置において、上記表示部は、上記フィルターボックスカバーのシールドルーム外側の面に形成されていることを特徴とする磁気共鳴イメージング装置。
【請求項５】
請求項１又は２記載の磁気共鳴イメージング装置において、上記表示部は、上記フィルターボックスカバーのシールドルーム内外側の両面に形成されていることを特徴とする磁気共鳴イメージング装置。
【請求項６】
静磁場発生手段と、傾斜磁場発生手段と、高周波送受信手段と、この高周波送受信手段が受信した核磁気共鳴信号に基づいて再構成した画像を再構成し表示する信号処理表示手段と、上記静磁場発生手段、傾斜磁場発生手段、高周波送受信手段、及び信号処理表示手段の動作を制御する制御手段とを有し、上記静磁場発生手段と、傾斜磁場発生手段と、高周波送受信手段とがシールドルーム内に配置された磁気共鳴イメージング装置において、
上記シールドルーム内に配置された上記傾斜磁場発生手段及び高周波送受信手段の電源手段と、上記傾斜磁場発生手段及び高周波送受信手段と制御手段との間に配置されるラインフィルターとを少なくとも有する複数の内部機器が配置されたフィルターボックスと、
上記フィルターボックス内の複数の内部機器に配置され、その動作状態を表示する表示部と、
上記フィルターボックス表面に形成され、上記内部機器に配置された上記表示部を確認するための確認用窓部を有するフィルターボックスカバーと、
を備えることを特徴とする磁気共鳴イメージング装置。
【請求項７】
請求項１〜６のうちのいずれか一項記載の磁気共鳴イメージング装置において、上記表示部に表示される上記内部機器の動作状態を、上記信号処理表示手段にも表示させることを特徴とする磁気共鳴イメージング装置。
【発明の詳細な説明】
【技術分野】
【０００１】
本発明は、磁気共鳴を利用して被検体の所望箇所を画像化する磁気共鳴イメージング装置に関する。
【背景技術】
【０００２】
磁気共鳴イメージング装置（ＭＲＩ装置）は、核磁気共鳴現象を利用して被検体中の所望の検査部位における原子核スピンの密度分布、緩和時間分布を計測して、その計測データから被検体の断面を画像表示するものである。
【０００３】
均一で強力な磁場発生装置内に置かれた被検体の原子核スピンは磁場の強さによって定まる周波数（ラーモア周波数）で磁場の方向を軸として歳差運動を行なう。そこで、このラーモア周波数に等しい周波数の高周波パルスを外部より照射すると、スピンが励起され高いエネルギー状態に遷移する（核磁気共鳴現象）。
【０００４】
この照射を打ち切ると、スピンはそれぞれの状態に応じた時定数で元の低いエネルギー状態に戻り、このときに外部に電磁波（ＮＭＲ信号）を放出する。これをその周波数に同調した受信コイルで検出する。このとき、空間内に位置情報を付加する目的で、Ｘ、Ｙ、Ｚの３軸方向の傾斜磁場を磁場空間に印加する。この結果、空間内の位置情報を周波数情報として捕らえることが可能となる。
【０００５】
ＭＲＩ装置では、外部からのノイズの影響を除去するため、シールドルームが設置されており、このシールドルーム内に配置された内部機器とシールドルームの外部に配置された外部機器との電気的接続は、特許文献１に記載されているようなフィルターボックスを介して行われている。
【０００６】
上記特許文献１に記載されたフィルターボックスは、ラインフィルターユニットと傾斜磁場電源とが収納され、シールドルームの電磁波遮蔽導体と電気的に一体化されて、シールドルームの壁面に取り付けられている。
【０００７】
【特許文献１】特開２０００−８３９２０号公報
【発明の開示】
【発明が解決しようとする課題】
【０００８】
ところで、上記フィルターボックス内には、ＭＲＩ装置の高機能化、受信コイルの多チャンネル化に伴い、制御機器・電源機器等が内蔵され、より複雑なものが用いられるようになってきている。このため、フィルターボックス内に配置された機器の点検や、故障発生状態等の把握が必要となっている。
【０００９】
しかし、上記従来のＭＲＩ装置にあっては、フィルターボックスに形成されたカバー等をこのフィルターボックスから外し、各種測定機器を用いて、フィルターボックス内部に配置された機器の状況を確認しなければならず、作業が煩雑であり、時間と手間が必要である。
【００１０】
また、高電圧を扱う部分の確認の必要がある場合は、安全上、さらに、時間が必要となる。
【００１１】
本発明の目的は、フィルターボックス内部に配置された機器の状況確認を、短時間で容易に実行可能な磁気共鳴イメージング装置を実現することである。
【課題を解決するための手段】
【００１２】
本発明の磁気共鳴イメージング装置は、静磁場発生手段と、傾斜磁場発生手段と、高周波送受信手段と、この高周波送受信手段が受信した核磁気共鳴信号に基づいて再構成した画像を再構成し表示する信号処理表示手段と、動作制御手段とを有し、上記静磁場発生手段と、傾斜磁場発生手段と、高周波送受信手段とがシールドルーム内に配置される。
【００１３】
そして、上記シールドルーム内に配置された上記傾斜磁場発生手段及び高周波送受信手段の電源手段と、上記傾斜磁場発生手段及び高周波送受信手段と制御手段との間に配置されるラインフィルターとを少なくとも有する複数の内部機器が配置されたフィルターボックスと、上記フィルターボックス表面に形成され、上記内部機器の動作状態を表示する表示部を有するフィルターボックスカバーとを備える。
【００１４】
また、上記フィルターボックス内の複数の内部機器に配置され、その動作状態を表示する表示部と、上記フィルターボックス表面に形成され、上記内部機器に配置された上記表示部を確認するための確認用窓部を有するフィルターボックスカバーとを備える。
【発明の効果】
【００１５】
フィルターボックス内部に配置された機器の状況確認を、短時間で容易に実行可能な磁気共鳴イメージング装置を実現することができ、ＭＲＩ装置のメンテナンス性を向上することができる。
【発明を実施するための最良の形態】
【００１６】
以下、本発明の実施形態について添付図面を参照して詳細に説明する。
【００１７】
図1は、本発明が適用されるＭＲＩ装置の全体概略構成図である。このＭＲＩ装置は、核磁気共鳴（ＮＭＲ）現象を利用して、被検体１５の断層画像を得るものである。図１において、ＭＲＩ装置は、静磁場発生装置１０と、ＭＲＩユニット９と、傾斜磁場コイル１２と、高周波照射コイル１３と、高周波受信コイル１４と、ベッド（寝台）８と、表示装置１７とを備える。
【００１８】
静磁場発生装置１０は、被検体１５に、強く均一な静磁場を発生させるものであり、被検体１５の周りのある広がりをもった空間に永久磁石方式あるいは超電導方式等の静磁場発生手段が配置されている。
【００１９】
ＭＲＩユニット９は、画像処理部２と、傾斜磁場発生系１１と、高周波装置３とを備える。画像処理部２は、高速な画像データ演算装置１６と、表示装置１７と、撮像における種々のパルスシーケンスをコントロールする制御装置４とを備える。傾斜磁場発生系１１と高周波装置３は、配電盤部１に接続されている。
【００２０】
傾斜磁場コイル１２は、Ｘ、Ｙ、Ｚの３軸に３組配置され、制御装置４により制御される傾斜磁場発生系１１の出力電流によって被検体１５の周りに必要な傾斜磁場空間を形成し、ＮＭＲ信号に位置情報を与える。
【００２１】
高周波装置３は、制御装置４のコントロールに従って高周波照射コイル１３により被検体１５にスピン励起のための高周波パルスを照射する。この結果生じるＮＭＲ信号を高周波受信コイル１４で検出し、前段増幅器１８及び制御装置を介して演算装置１６に供給される。そして、演算装置１６で画像再構成演算等を行ない、得られたＭＲＩ画像を表示装置１７に出力し、表示する。
【００２２】
また、静磁場発生装置１０、傾斜磁場コイル１２、高周波照射コイル１３、高周波受信コイル１４等の計測系を構成する各要素は、外部からの電磁波ノイズを遮蔽するシールドルーム６内に設置されている。
【００２３】
このシールドルーム６は、磁気遮蔽のために、その壁面全面に電磁波遮蔽導体、すなわち電気的導体若しくは導体箔が設けられており、この導体板または導体箔は人体への電撃防止のために接地されている。
【００２４】
そして、シールドルーム６の壁面の一部には、フィルターボックス７（模式的に示す）が設けられており、このフィルターボックス７の内部には、ラインフィルター、信号・電力系の各制御要素、各種機器用電源が収納されている。さらには、これらラインフィルター等を囲う形でフィルターボックスカバー７ａが取り付けられている。
【００２５】
ここで、本発明の第１の実施形態であるフィルターボックス７の構成について、図２、図３を参照して説明する。図２は、フィルターボックスカバー7ａの概略正面図であり、図３は、フィルターボックスカバー７ａの概略断面図である。
【００２６】
図２、図３において、フィルターボックスカバー７ａ内に配置された機器７ｅは、それぞれ自己診断機能を有している。そして、フィルターボックスカバー７ａは、その内部に配置された機器７ｅからの自己診断情報を表示する表示部７ｂと、この表示部７ｂの表示操作を行う表示操作部７ｃとが配置されている。
【００２７】
表示操作部７ｃを操作することにより、表示部７ｂに表示させる内部機器７ｅを指定することができる。
【００２８】
この表示部７ｂは、内部機器７ｅの各種機能の詳細を表示できるようにしても良いし、内部機器７ｅの各種機能・機構の状態の良否のみを表示できるようにしても良い。これらの選択を表示操作部７ｃで行うように構成することもできる。
【００２９】
さらには、これらの表示部７ｂ、表示操作部７ｃは、サーピスス等の状態確認の必要時のみに使用出来るように取り外し可能とできるようにしてもよい。つまり、フィルターボックスカバー７ａに内部機器７ｅからの情報を受信する接続部を形成し、この接続部に接続及び取り外し可能な接続部を有する表示装置とすることも可能である。
【００３０】
表示部７ｂ及び表示操作部７ｃは、図３の（ａ）に示すように、シールドルーム６の外部側にのみ形成してもよいし、図３の（ｂ）に示すように、シールドルーム６の内部側にのみ形成することもできる。さらに、図３の（ｃ）に示すように、シールドルーム６の内部側及び外部側に形成することもできる。
【００３１】
以上のように、本発明の第１の実施形態によれば、フィルターボックス内に配置された機器の状態を、このフィルターボックスの開閉を伴うことなく、短時間で容易に確認することが可能である。これにより、ＭＲＩ装置のメンテナンス性を向上することができる。
【００３２】
図４は、本発明の第２の実施形態であるフィルターボックスカバー７ａの概略正面図であり、図５はその概略断面図である。
【００３３】
図４に示すように、フィルターボックスカバー７ａには、このフィルターボックスカバー７ａの内部機器７ｅを観察可能な観察窓部７ｄが形成され、内部機器７ｅのそれぞれに、表示部７ｂが取り付けられている。この表示部７ｂに、内部機器７ｅの自己診断結果が表示されている。
【００３４】
観察窓部７ｄ及び表示部７ｂは、図５の（ａ）に示すように、シールドルーム６の外部側にのみ形成してもよいし、図５の（ｂ）に示すように、シールドルーム６の内部側にのみ形成することもできる。さらに、図５の（ｃ）に示すように、シールドルーム６の内部側及び外部側に形成することもできる。
【００３５】
本発明の第２の実施形態においても、第１の実施形態と同様な効果を得ることができる。
【００３６】
図６は、本発明の第３実施形態であるフィルターボックスカバー７ａの概略正面図であり、図７はその概略断面図である。
【００３７】
図６に示すように、フィルターボックスカバーに７ａには、表示部７ｂのみ配置されている。この表示部７ｂは、内部機器７ｅ毎に設けることもできるし、複数の内部機器７ｅをまとめた形で良否のみを表示できるようにしても良い。また、内部機器７ｅが動作しているか否かのみ表示させるように構成してもよい。
【００３８】
表示部７ｂは、図７の（ａ）に示すように、シールドルーム６の外部側にのみ形成してもよいし、図７の（ｂ）に示すように、シールドルーム６の内部側にのみ形成することもできる。さらに、図７の（ｃ）に示すように、シールドルーム６の内部側及び外部側に形成することもできる。
【００３９】
本発明の第３の実施形態においても、第１の実施形態と同様な効果を得ることができる。
【００４０】
なお、フィルターボックスカバー７ａの表示部７ｂに表示された内容を、表示装置１７に表示させるように構成することも可能である。この場合、フィルターボックスカバー７ａの表示部７ｂに表示された内容を表示装置１７の画面上に表示させるか否かの選択ボタンを表示させることも可能である。
【００４１】
表示装置１７に表示部７ｂに表示された内容を表示させることができれば、シールドルームの内側にのみ、表示部７ｂを形成する場合に便利である。
【図面の簡単な説明】
【００４２】
【図１】本発明が適用されるＭＲＩ装置の概略構成図である。
【図２】本発明の第１の実施形態におけるフィルターボックスカバーの概略正面図である。
【図３】本発明の第１の実施形態におけるフィルターボックスカバーの概略断面図である。
【図４】本発明の第２の実施形態におけるフィルターボックスカバーの概略正面図である。
【図５】本発明の第２の実施形態におけるフィルターボックスカバーの概略断面図である。
【図６】本発明の第３の実施形態におけるフィルターボックスカバーの概略正面図である。
【図７】本発明の第３の実施形態におけるフィルターボックスカバーの概略断面図である。
【符号の説明】
【００４３】
１・・・配電盤部、２・・・画像処理部、３・・・高周波装置、４・・・制御装置、６・・・シールドルーム、７・・・フィルターボックス、７ａ・・・フィルターボックスカバー、７ｂ・・・表示部、７ｃ・・・操作部、７ｄ・・・観察窓部、７ｅ・・・内部機器、８・・・寝台、９・・・ＭＲＩユニット、１０・・・静磁場発生装置、１１・・・傾斜磁場発生系、１２・・・傾斜磁場コイル、１３・・・高周波照射コイル、１４・・・高周波受信コイル、１５・・・被検体、１６・・・演算装置、１７・・・表示装置、１８・・・前段増幅器
【図１】
2008067926.tif 000003
【図２】
2008067926.tif 000004
【図３】
2008067926.tif 000005
【図４】
2008067926.tif 000006
【図５】
2008067926.tif 000007
【図６】
2008067926.tif 000008
【図７】
2008067926.tif 000009